(57)【特許請求の範囲】
【請求項１】
端部に端子配列部が形成された表示パネルと、前記表示パネルの端子配列部に一端を接続されたフレキシブル配線板と、前記表示パネルが収容された収容部を有する筐体とを備えた表示装置であって、
前記筐体は外側面の所定位置に形成された突起を含む係止部を有し、
前記フレキシブル配線板は、前記筐体の表示パネル収容部から該筐体の外側に引き出されると共に前記筐体の外側面に沿って折曲され、前記筐体の外側面に沿う折曲領域の所定個所に穿設された被係止孔を含む被係止部を有し、
前記被係止部は、前記フレキシブル配線板は、前記突起に前記被係止孔を嵌合させることにより前記係止部に係止され、
前記被係止部は、前記被係止孔と連続させて前記被係止孔から所定の方向に延伸するように形成され、前記被係止孔の広がりを許容するスリットを有していることを特徴とする表示装置。
【請求項２】
前記フレキシブル配線板は、前記フレキシブル配線板の一端と前記被係止部との間の部分を弛みの無い状態に緊張させたときの前記被係止部の位置に対応させて前記係止部が設けられていることを特徴とする請求項１に記載の表示装置。
【請求項３】
前記突起は、前記筐体の外側面から突出する柱部と、前記柱部の先端に形成された頭部とからなり、前記柱部は、前記被係止孔に嵌まり込む太さに形成され、前記頭部は、該頭部の周縁部が前記被係止孔の周縁に重なる大きさに形成されており、前記被係止孔は、前記突起の頭部を乗り越えさせて前記突起の柱部に嵌合されていることを特徴とする請求項１または２に記載の表示装置。
【請求項４】
前記スリットは、前記突起の前記柱部の太さよりも小さい幅に形成されていることを特徴とする請求項１から３の何れかに記載の表示装置。
【請求項５】
前記スリットは、前記被係止孔から、前記フレキシブル配線板の折曲方向に対して直交する方向に延伸させて形成されていることを特徴とする請求項１から４の何れかに記載の表示装置。
【請求項６】
前記被係止孔は、前記折曲領域の側縁に隣接する領域に形成されており、前記スリットは、前記被係止孔から前記折曲領域の側縁に向かって形成され、前記側縁に開放していることを特徴とする請求項５に記載の表示装置。
【請求項７】
前記スリットは、前記被係止孔から前記フレキシブル配線板の折曲方向と直交する方向に沿った一方の向きとその逆向きとにそれぞれ延伸させて形成されていることを特徴とする請求項５に記載の表示装置。
【請求項８】
前記被係止孔は、前記折曲領域の側縁に隣接する領域に形成されており、前記一方のスリットが、前記被係止孔から前記折曲領域の側縁に向かって形成され、前記側縁に開放していることを特徴とする請求項７に記載の表示装置。
【請求項９】
前記スリットは、前記被係止孔の前記フレキシブル配線板の前記折曲方向における中心位置の側方に形成されていることを特徴とする請求項５から８の何れかに記載の表示装置。
【請求項１０】
前記スリットは、前記被係止孔の前記フレキシブル配線板の前記折曲方向における中心よりも前記フレキシブル配線板の一端に近い位置の側方に形成されていることを特徴とする請求項５から８の何れかに記載の表示装置。
【請求項１１】
前記スリットは、該スリットの延在方向に沿った二つの辺のうち、前記フレキシブル配線板の一端に近い方の辺が、前記被係止孔の縁辺のうち、前記フレキシブル配線板の一端に近い部分に一致するように形成されていることを特徴とする請求項１０に記載の表示装置。
【請求項１２】
前記被係止部は、前記折曲領域の一方の側縁に隣接する領域と他方の側縁に隣接する領域とにそれぞれ形成されており、前記係止部は、前記筐体の外側面の二箇所に、前記各被係止部にそれぞれ対応させて形成されていることを特徴とする請求項１から１１の何れかに記載の表示装置。
【請求項１３】
前記筐体の表示パネル収容部は、前記表示パネルを後側から支持する表示パネル支持面を有しており、前記表示パネルは、前記表示パネル支持面上に載置されていることを特徴とする請求項１から１２の何れかに記載の表示装置。
【請求項１４】
表示パネルは液晶表示パネルであり、該液晶表示パネルの後側に、前記液晶表示パネルに向けて照明光を照射する面光源が、液晶表示パネルと一体化させて配置されていることを特徴とする請求項１から１３の何れかに記載の表示装置。
【請求項１５】
前記フレキシブル配線板の前記折曲領域よりも他端側の部分は、前記筐体の下面に沿うように配置されていることを特徴とする請求項１から１４の何れかに記載の表示装置。
【請求項１６】
前記フレキシブル配線板の他端は、前記筐体の後側に配置された表示制御手段に接続されていることを特徴とする請求項１から１５の何れかに記載の表示装置。
【発明の詳細な説明】
【技術分野】
【０００１】
この発明は、表示パネルを筐体内に収容した表示装置に関する。
【背景技術】
【０００２】
例えば携帯電話機や電子辞書等の電子機器に実装される表示装置として、端子配列部を有し、該端子配列部にフレキシブル配線板が接続された表示パネルを、表示パネル収容部を有する筐体に、前面を筐体の上面方向に向けて収容したものがある。
【０００３】
この表示装置において、表示パネルの端子配列部に接続されたフレキシブル配線板は、筐体の表示パネル収容部から該筐体の外側に引き出され、特許文献１に記載されているように、Ｕ状に湾曲されて筐体の下面に係止手段により係止されている。即ち、フレキシブル配線板は、Ｕ状に湾曲された部分の内面が筐体の外側面に向き合うように配置され、筐体の下面側に引き込まれた部分を筐体の下面に係止されている。
【０００４】
ている。
【先行技術文献】
【特許文献】
【０００５】
【特許文献１】特開２０００−２３５１７６号公報
【発明の概要】
【発明が解決しようとする課題】
【０００６】
しかし、上記従来の表示装置は、例えば電子機器への実装に際して、フレキシブル配線板の筐体外に引き出された部分（Ｕ状に湾曲された部分）が、機器ケースやケース内に配置された電子部品等の障害物に押し付けられると、障害物から湾曲部に対して加わる外力により、該湾曲部が変形する。
【０００７】
そして、フレキシブル配線板は表示パネルの端子配列部に接続されているため、前記湾曲部が変形により、筐体に収容された表示パネルが浮き上がり、極端な場合には、筐体から離脱してしまうことがある。
【０００８】
この発明は、フレキシブル配線板の筐体外に引き出された部分に加わる外力による表示パネルの浮き上がりを防止し、前記筐体への表示パネルの収容状態を維持することができる表示装置を提供することを目的としたものである。
【課題を解決するための手段】
【０００９】
請求項１に記載の発明は、端部に端子配列部が形成された表示パネルと、前記表示パネルの端子配列部に一端を接続されたフレキシブル配線板と、前記表示パネルが収容された収容部を有する筐体とを備えた表示装置であって、
前記筐体は外側面の所定位置に形成された突起を含む係止部を有し、
前記フレキシブル配線板は、前記筐体の表示パネル収容部から該筐体の外側に引き出されると共に前記筐体の外側面に沿って折曲され、前記筐体の外側面に沿う折曲領域の所定個所に穿設された被係止孔を含む被係止部を有し、
前記被係止部は、前記フレキシブル配線板は、前記突起に前記被係止孔を嵌合させることにより前記系止部に係止され、
前記被係止部は、前記被係止孔と連続させて前記被係止孔から所定の方向に延伸するように形成され、前記被係止孔の広がりを許容するスリットを有していることを特徴とする。
【００１１】
請求項２に記載の発明は、前記請求項１に記載の表示装置において、前記フレキシブル配線板は、前記フレキシブル配線板の一端と前記被係止部との間の部分を弛みの無い状態に緊張させたときの前記被係止部の位置に対応させて前記係止部が設けられていることを特徴とする。
【００１３】
請求項３に記載の発明は、前記請求項２に記載の表示装置において、前記突起は、前記筐体の外側面から突出する柱部と、前記柱部の先端に形成された頭部とからなり、前記柱部は、前記被係止孔に嵌まり込む太さに形成され、前記頭部は、該頭部の周縁部が前記被係止孔の周縁に重なる大きさに形成されており、前記被係止孔は、前記突起の頭部を乗り越えさせて前記突起の柱部に嵌合されていることを特徴とする。
【００１５】
請求項４に記載の発明は、前記請求項１から３の何れかに記載の表示装置において、前記スリットは、前記突起の前記柱部の太さよりも小さい幅に形成されていることを特徴とする。
【００１６】
請求項５に記載の発明は、前記請求項１から４の何れかに記載の表示装置において、前記スリットは、前記被係止孔から、前記フレキシブル配線板の折曲方向に対して直交する方向に延伸させて形成されていることを特徴とする。
【００１７】
請求項６に記載の発明は、前記請求項５に記載の表示装置において、前記被係止孔は、前記折曲領域の側縁に隣接する領域に形成されており、前記スリットは、前記被係止孔から前記折曲領域の側縁に向かって形成され、前記側縁に開放していることを特徴とする。
【００１８】
請求項７に記載の発明は、前記請求項５に記載の表示装置において、前記スリットは、前記被係止孔から前記フレキシブル配線板の折曲方向と直交する方向に沿った一方の向きとその逆向きとにそれぞれ延伸させて形成されていることを特徴とする。
【００１９】
請求項８に記載の発明は、前記請求項７に記載の表示装置において、前記被係止孔は、前記折曲領域の側縁に隣接する領域に形成されており、前記一方のスリットが、前記被係止孔から前記折曲領域の側縁に向かって形成され、前記側縁に開放していることを特徴とする。
【００２０】
請求項９に記載の発明は、前記請求項４から８の何れかに記載の表示装置において、前記スリットは、前記被係止孔の前記フレキシブル配線板の前記折曲方向における中心位置の側方に形成されていることを特徴とする。
【００２１】
請求項１０に記載の発明は、前記請求項４から８の何れかに記載の表示装置において、前記スリットは、前記被係止孔の前記フレキシブル配線板の前記折曲方向における中心よりも前記フレキシブル配線板の一端に近い位置の側方に形成されていることを特徴とする。
【００２２】
請求項１１に記載の発明は、前記請求項１０に記載の表示装置において、前記スリットは、該スリットの延在方向に沿った二つの辺のうち、前記フレキシブル配線板の一端に近い方の辺が、前記被係止孔の縁辺のうち、前記フレキシブル配線板の一端に近い部分に一致するように形成されていることを特徴とする。
【００２３】
請求項１２に記載の発明は、前記請求項１から１１の何れかに記載の表示装置において、前記被係止部は、前記折曲領域の一方の側縁に隣接する領域と他方の側縁に隣接する領域とにそれぞれ形成されており、前記係止部は、前記筐体の外側面の二箇所に、前記各被係止部にそれぞれ対応させて形成されていることを特徴とする。
【００２４】
請求項１３に記載の発明は、前記請求項１から１２の何れかに記載の表示装置において、前記筐体の表示パネル収容部は、前記表示パネルを後側から支持する表示パネル支持面を有しており、前記表示パネルは、前記表示パネル支持面上に載置されていることを特徴とする。
【００２５】
請求項１４に記載の発明は、前記請求項１から１３の何れかに記載の表示装置において、表示パネルは液晶表示パネルであり、該液晶表示パネルの後側に、前記液晶表示パネルに向けて照明光を照射する面光源が、液晶表示パネルと一体化させて配置されていることを特徴とする。
【００２６】
請求項１５に記載の発明は、前記請求項１から１４の何れかに記載の表示装置において、前記フレキシブル配線板の前記折曲領域よりも他端側の部分は、前記筐体の下面に沿うように配置されていることを特徴とする。
【００２７】
請求項１６に記載の発明は、前記請求項１から１５の何れかに記載の表示装置において、前記フレキシブル配線板の他端は、前記筐体の後側に配置された表示制御手段に接続されていることを特徴とする。
【発明の効果】
【００２８】
この発明によれば、前記フレキシブル配線板の前記筐体外に引き出された部分に加わる外力による表示パネルの浮き上がりを防止し、前記筐体への表示パネルの収容状態を維持することができる。
【図面の簡単な説明】
【００２９】
【図１】この発明の第一実施例を示す表示装置の斜視図。
【図２】前記表示装置の側面図。
【図３】前記表示装置の分解斜視図。
【図４】図１のIV−IV矢視線に沿った拡大断面図。
【図５】図１のV−V矢視線に沿った拡大断面図。
【図６】フレキシブル配線板に設けられた被係止部の正面図。
【図７】前記フレキシブル配線板の折曲領域を筐体に形成した状態の断面図。
【図８】前記被係止部の被係止孔の広がり状態を示す図。
【図９】前記筐体の成形金型を示す一部分の断面図。
【図１０】この発明の第二実施例を示す被係止部の正面図。
【図１１】この発明の第三実施例を示す被係止部の正面図。
【図１２】この発明の第四実施例を示す被係止部の正面図。
【図１３】この発明の第五実施例を示す被係止部の正面図。
【図１４】この発明の第六実施例を示す被係止部の正面図。
【図１５】前記第四実施例乃至第六実施例の被係止部に対応した係止部の正面図。
【図１６】比較例の表示装置における表示パネルの浮き上がりを示す図。
【発明を実施するための形態】
【００３０】
［第一実施例］
以下、この発明の第一実施例を図１〜図９を参照して説明する。この実施例の表示装置は、図１〜図５のように、端部に端子配列部３ａが形成された表示パネル１と、前記表示パネル１の端子配列部３ａに一端（表示パネル接続端）を接続されたフレキシブル配線板１０と、前記表示パネル１の収容部４１を有する筐体４０とを備えている。
【００３１】
前記表示パネル１は、行方向及び列方向に配列させて形成された複数の画素（図示せず）を有し、各画素への電圧の印加により各画素の光の透過率を制御して画像を表示する液晶表示パネルである。
【００３２】
この液晶表示パネル１は、所定の間隙を設けて対向配置され、画面エリア１ａを囲む枠状のシール材４を介して接合された透明な前基板２及び後基板３と、これらの基板２，３間の間隙のシール材４で囲まれた領域に封入された液晶層５と、前基板２の外面に貼付けて配置された前側偏光板６と、後基板３の外面に貼付けて配置された後側偏光板７とにより構成されている。
【００３３】
なお、後側偏光板７は、画面エリア１ａよりも大きく、且つ後基板３の端子配列部３ａ以外の領域よりも小さい形状に形成されており、後基板３の端子配列部３ａ及び他の各縁部よりも内側の領域に貼り付けられている。
【００３４】
この液晶表示パネル１は、例えばＴＦＴ（薄膜トランジスタ）をスイッチング素子としたアクティブマトリックス液晶表示パネルであり、図では省略しているが、後基板３の内面、即ち前基板２と対向する面に、行方向及び列方向に配列させて形成された複数の透明な画素電極と、これらの画素電極にそれぞれ対応させて配置され、対応する画素電極に接続された複数のＴＦＴと、各行のＴＦＴに、該ＴＦＴをオン／オフさせる走査信号を供給する複数の走査信号線と、各列のＴＦＴにデータ信号を供給する複数のデータ信号線が設けられている。
【００３５】
一方、前基板２の内面、即ち後基板３と対向する面には、各画素電極にそれぞれ対応させて形成された赤、緑、青の３色のフィルタからなるカラーフィルタと、このカラーフィルタの上に各画素電極の配列領域に対向させて形成された一枚膜状の透明な共通電極が設けられている。
【００３６】
なお、前記液晶表示パネル１は、ＴＮ型、ＳＴＮ型、垂直配向型、非ツイストの水平配向型、ベンド配向型のいずれでもよく、また強誘電性または反強誘電性液晶表示素子でもよい。
【００３７】
さらに、液晶表示パネル１は、前基板２と後基板３とにそれぞれ電極を設けたものに限らず、後基板３の内面に、複数の画素にそれぞれ対応させて、第一電極と、この第一電極よりも液晶層側または基板側に前記第一電極と絶縁して形成された第二電極とを設け、これらの電極のうちの液晶層側の電極を、複数の細長電極部を有する形状に形成することにより、第一電極と第二電極との間に横電界（基板面に沿う方向の電界）を生じさせて液晶分子の配向状態を変化させる横電界制御型液晶表示パネルでもよい。
【００３８】
液晶表示パネル１は、後基板３の一辺の縁部を前基板２の外方に張り出させて形成された端子配列部３ａを有しており、各走査信号線及びデータ信号線は、端子配列部３ａのドライバ搭載領域に形成された複数の走査信号線端子及びデータ信号線端子（何れも図示せず）にそれぞれ接続されている。
【００３９】
また、図示しないが、端子配列部３ａの張り出し端には、その端縁に沿って配列された複数の制御信号入力端子が形成されており、これらの制御信号入力端子は、ドライバ搭載領域に所定の配列順で形成された複数のドライバ接続端子にそれぞれ接続されている。
【００４０】
そして、前記端子配列部３ａのドライバ搭載領域には、走査信号線駆動回路及びデータ信号線駆動回路が形成されたＬＳＩからなるドライバ素子８が、その主面の周縁に沿わせて配列された各端子電極（図示せず）を前記各走査信号線端子及びデータ信号線端子と各ドライバ接続端子にそれぞれ接続して搭載されている。
【００４１】
また、フレキシブル配線板１０は、可撓性を有する樹脂フィルム上に複数本の配線（図示せず）を形成したものであり、一端から所定の長さの領域（以下、一端側の領域と称する）が、液晶表示パネル１の端子配列部３ａの張り出し端に形成された制御信号入力端子の配列領域よりもある程度広い幅に形成され、それよりも他端側の領域が、前記一端側の領域の幅よりも小さい幅に形成された平面形状を有している。そして、図示しない複数本の配線は、フレキシブル配線板１０の一端から他端に延伸させて形成され、フレキシブル配線板１０の他端に設けられた外部回路接続用コネクタ１１に接続されている。
【００４２】
このフレキシブル配線板１０は、その一端を、液晶表示パネル１の端子配列部３ａの上に各配線の端部を前記制御信号入力端子と対向させて異方導電性接着剤（導電性粒子を分散させた接着剤）により接着することにより、液晶表示パネル１の端子配列部３ａに接続されている。
【００４３】
また、この実施例の表示装置は、前記液晶表示パネル１の後側偏光板７に対向するように配置され、液晶表示パネル１に向けて照明光を照射する面光源２０を備えている。
【００４４】
面光源２０は、図３〜図５のように、導光板２１と複数の発光素子２５を備えている。導光板２１は、液晶表示パネル１の画面エリア１ａよりもある程度大きい面積を有する矩形板状の透明部材からなり、その側面のうち一つが光を入射させる入射端面２２とされ、二つの板面のうち前記液晶表示パネル１に対向する側の一方の板面が、入射端面２２から入射した光を射出させる射出面２３とされ、他方の板面が、入射端面２２から入射した光を射出面２３に向けて内面反射する反射面２４とされている。また、導光板２１の入射端面２２に対向させて、複数の発光素子２５が、各発光素子２５から射出した光が入射端面２２から導光板２１内に入射するように配置されている。
【００４５】
また、導光板２１の反射面２４の外側には、該反射面２４対向するように反射板２６が配置されている。この反射板２６は、導光板２１内に入射端面２２から入射した光のうち、導光板２１の反射面２４で内面反射されずに導光板２１に背後に漏れた光を反射して再び導光板２１内に戻すものである。この反射板２６は、導光板２１の入射端面２２に重なった側の縁部が発光素子２５の配置領域の下方に張り出した形状に形成されており、少なくとも前記液晶表示パネル１の画面エリア１ａと複数の発光素子２５に重なるように導光板２１の反射面２４に貼り付けられている。
【００４６】
さらに、面光源２０は、導光板２１の射出面２３上に貼り付けて配置された拡散層２７と、該拡散層２７の上に貼り付けて配置された第一プリズムシート２８と、この第一プリズムシート２８の上に貼り付けて配置された第二プリズムシート２９とを備えている。
【００４７】
なお、図では第一及び第二プリズムシート２８，２９をそれぞれ一枚膜のように示しているが、これらのプリズムシート２８，２８のうち、第一プリズムシート２８には、所定の方向、例えば導光板２１の短手方向に沿った複数の細長プリズムが密なピッチで形成され、第二プリズムシート２９には、前記所定の方向に対して交差する方向、例えば導光板２１の短手方向に対して直交する方向に沿った複数の細長プリズムが密なピッチで形成されている。
【００４８】
また、発光素子２５は、ＬＥＤ（発光ダイオード）からなっており、各発光素子２５の接続配線（図示せず）が形成された発光素子支持基板３０に、所定の間隔で一列に並べて設置されている。発光素子支持基板３０は可撓性を有しており、その各縁部のうち、発光素子２５からの光の射出方向に対して反対側の縁部に、該縁部から外方に延長された帯形状のリード部３１が一体に形成されている。このリード部３１には各発光素子２５を図示しない光源点灯回路に接続するためのリード配線（図示せず）が形成されている。このリード部３１の延長端は、光源点灯回路に接続される。
【００４９】
この面光源２０は、複数の発光素子２５から射出し、導光板２１内に入射端面２２から入射した光を、導光板２１により導いて射出面２３の全域から射出し、その光を、拡散層２７により拡散し、さらに第一プリズムシート２８及び第二プリズムシート２９により導光板２１の射出面２３の法線方向に対する角度が小さくなる方向に屈折させて、前記法線方向、つまり正面方向の射出光強度が高い強度分布の照明光を液晶表示パネル１に向けて照射する。
【００５０】
前記面光源２０は、第二プリズムシート２９の外面、即ち液晶表示パネル１と対向する面（照明光の照射面）の周縁部が、枠状に形成された両面粘着フィルム３２ａによって液晶表示パネル１の後面（後側偏光板７の外面、即ち面光源２０と対向する面）に貼り付けられている。また、発光素子支持基板３０と前記液晶表示パネル１の対向する面同士が両面粘着フィルム３２ｂによって貼り付けられている。これによって、面光源２０は液晶表示パネル１と一体化されている。なお、照明光の照射面を液晶表示パネル１に貼り付ける両面粘着フィルム３２ａと、発光素子支持基板３０を液晶表示パネル１に貼り付ける両面粘着フィルム３２ｂは、連続した一枚の両面粘着フィルムでもよい。
【００５１】
筐体４０は、平面形状が液晶表示パネル１の外形よりも大きい矩形状の平面形状を有し、周縁部よりも内側の領域に、該筐体４０の前面である上面４０ａ及び該筐体４０の後面である下面４０ｂに開口する空間からなる表示パネル収容部４１が形成された矩形枠状の樹脂成形品からなっている。なお、この筐体４０の上面４０ａと下面４０ｂは、所定の矩形状の平面形状内に収まる外形を有し、互いに平行な面からなっており、筐体４０の各辺の外側面４０ｃは、上面４０ａ及び下面４０ｂに対して垂直な面からなっている。
【００５２】
この筐体４０の表示パネル収容部４１は、液晶表示パネル１を後側から支持する表示パネル支持面４２を有している。この表示パネル支持面４２は、液晶表示パネル１の後面の周縁部を支持する枠形状に形成されている。この実施例では、表示パネル収容部４１の周面（矩形枠の内周面）を、所定の高さよりも下面４０ｂ側の部分を上面４０ａ側の部分よりも内方に突出させた形状に形成し、その突出部の上面を表示パネル支持面４２としている。
【００５３】
なお、表示パネル支持面４２のうち、液晶表示パネル１の端子配列部３ａ以外の各縁部に対向する第一領域４２ａは、筐体４０の上面４０ａから、液晶表示パネル１の後側偏光板７を除いた厚さと同じか、或いはそれよりも若干大きい高さだけ下がった位置に形成されている。また、表示パネル支持面４２のうち、液晶表示パネル１の端子配列部３ａに対向する第二領域４２ｂは、前記第一領域４２ａよりも、液晶表示パネル１の端子配列部３ａの外面に貼り付けられた発光素子支持基板３０と両面粘着フィルム３２ｂの厚さの和だけさらに低い位置に形成されている。
【００５４】
そして、液晶表示パネル１は、フレキシブル配線板１０の一端を端子配列部３ａに異方導電性接着剤により接着して接続した後に、筐体４０の表示パネル収容部４１に、前面（前側偏光板の外面）を筐体４０の前側に向けると共に、液晶表示パネル１の後面に貼り付けられた面光源２０の発光素子支持基板３０以外の各部材を表示パネル支持面４２よりも下側の領域に入り込ませて収容され、前記表示パネル支持面４２上に載置されている。即ち、面光源２０は、液晶表示パネル１と共に筐体４０の表示パネル収容部４１に収容されている。
【００５５】
なお、液晶表示パネル１の後側偏光板７は、表示パネル支持面４２に重ならないように配置されており、液晶表示パネル１は、後基板３の端子配列部３ａ以外の各縁部の外面を、表示パネル支持面４２の第一領域４２ａ上に図５のように載置されている。また、液晶表示パネル１の端子配列部３ａは、その外面に貼り付けられた発光素子支持基板３０を介して、表示パネル支持面４２の第二領域４２ｂ上に図４のように載置されている。
【００５６】
また、筐体４０の矩形枠状の各辺のうち、液晶表示パネル１の端子配列部３ａと対向する辺には、液晶表示パネル１の端子配列部３ａに接続されたフレキシブル配線板１０を筐体４０外に引き出すための配線板引き出し部４３と、面光源２０の発光素子支持基板３０のリード部３１を筐体４０外に引き出すためのリード引き出し部４４が、表示パネル収容部４１から外側面４０ｃにわたって設けられている。
【００５７】
この配線板引き出し部４３とリード引き出し部４４はそれぞれ、筐体４０の上面４０ａに開放する切欠部からなっており、配線板引き出し部４３となる切欠部は、フレキシブル配線板１０の幅よりも僅かに広幅に形成され、且つ該切欠部の底面が、筐体４０に収容された液晶表示パネル１の後基板３の上面と前記端子配列部３ａに対応する支持面４２ｂとの間の高さに位置する形状に形成されている。また、リード引き出し部４４となる切欠部は、リード部３１の幅よりも僅かに広幅に形成され、且つ該切欠部の底面が、発光素子支持基板３０の上面（液晶表示パネル１への貼り付け面）と表示パネル支持面４２の第二領域４２ｂとの間の高さに位置する形状に形成されている。
【００５８】
そして、液晶表示パネル１の端子配列部３ａに一端を接続されたフレキシブル配線板１０は、筐体４０の表示パネル収容部４１から配線板引き出し部４３を通して該筐体４０の外側面４０ｃの外方に引き出されると共に、筐体４０の外側面４０ｃに沿って筐体４０の上面４０ａ側から下面４０ｂ側に向かう方向に折曲され、筐体４０の外側面４０ｃに沿う折曲領域１０ａにおいて前記筐体４０の外側面４０ｃに係止されている。
【００５９】
即ち、フレキシブル配線板１０は、前記折曲領域１０ａの所定個所に形成された孔または切り欠きを含む被係止部１２を有しており、該被係止部１２を、筐体４０の外側面の所定位置に形成された突起を含む係止部４５に係止されている。
【００６０】
この実施例において、被係止部１２は、フレキシブル配線板１０に穿設された円形の被係止孔１３を有し、係止部４５は、筐体４０の外側面４０ｃに一体に突設された突起からなっている。以下、この係止部４５を係止突起と称する。
【００６１】
そして、フレキシブル配線板１０は、前記係止突起４５に被係止孔１３を嵌合させることにより筐体４０の外側面に係止されている。
【００６２】
さらに、図６に示すように、この実施例において、係止突起４５は、筐体４０の外側面４０ｃから垂直に突出した柱部４５ａと、該柱部４５ａの先端に形成された頭部４５ｂとからなっており、柱部４５ａは、前記被係止孔１３に嵌まり込む太さに形成され、頭部４５ｂは、該頭部４５ｂの周縁部が被係止孔１３の周縁のフレキシブル配線板１０に重なる大きさに形成されている。なお、この実施例では、柱部４５ａを円柱状に形成し、頭部４５ｂを柱部４５ａと同心円状の円板状に形成している。
【００６３】
また、フレキシブル配線板１０の折曲領域１０ａに設けられた被係止部１２は、被係止孔１３と連続させて該被係止孔１３から所定の方向に延伸するように形成され、被係止孔１３の広がりを許容するスリット１４を有している。
【００６４】
このスリット１４は、その延伸方向に沿った互いに平行な二つの辺を有し、該二辺間の距離（スリット１４の幅）が係止突起４５の柱部４５ａの太さよりも小さくなるように形成されている。また、このスリット１４は、フレキシブル配線板１０の折曲方向（筐体４０の上面４０ａ側から下面４０ｂ側に向かう方向）に対して直交する方向を短手方向としたとき、被係止孔１３から前記短手方向に沿った方向に延伸させて形成されている。
【００６５】
この実施例において、スリット１４は、被係止孔１３のフレキシブル配線板１０の折曲方向における中心位置の側方に形成されている。即ち、フレキシブル配線板１０の短手方向と平行で、且つスリット１４の二つの辺間の中心を通る線をスリット中心線Ｌとすると、スリット１４は、被係止孔１３のフレキシブル配線板１０の折曲方向における中心Ｐがスリット中心線Ｌ上に位置するように配置されている。
【００６６】
さらに、被係止孔１３は、折曲領域１０ａの側縁に隣接する領域に形成されており、スリット１４は、被係止孔１３から折曲領域１０ａの側縁に向かって形成され、前記側縁に開放している。また、前記被係止部１２は、折曲領域１０ａの一方の側縁に隣接する領域と、他方の側縁に隣接する領域とにそれぞれ形成されており、前記係止突起４５からなる係止部は、筐体４０の外側面の二箇所に、各被係止部１２，１２にそれぞれ対応させて形成されている。
【００６７】
そして、フレキシブル配線板１０の筐体４０の外側面４０ｃに沿って折曲された折曲領域１０ａは、該折曲領域１０ａに設けられた被係止部１２の被係止孔１３を、筐体４０の外側面４０ｃに突設された係止突起４５の柱部４５ａに嵌合することにより、係止突起４５を介して筐体４０の外側面４０ｃに係止されている。図７は、フレキシブル配線板１０の折曲領域１０ａを筐体４０の外側面４０ｃに係止した状態を示している。
【００６８】
係止突起４５の柱部４５ａへの被係止孔１３の嵌合は、係止突起４５の頭部４５ｂに被係止孔１３を合わせ、フレキシブル配線板１０の折曲領域１０ａのうちの被係止部１２の周囲の部分を筐体４０の外側面４０ｃ側に押し付けることにより行う。
【００６９】
なお、係止突起４５の頭部４５ｂは、該頭部４５ｂの周縁部が被係止孔１３の周縁に重なるように、被係止孔１３の径よりも大きい径に形成されているが、フレキシブル配線板１０の折曲領域１０ａの被係止部１２は、被係止孔１３と連続させて前記被係止孔１３から延伸するように形成されたスリット１４を有している。そのため、被係止部１２の周囲の部分を筐体４０の外側面４０ｃに押し付けると、被係止孔１３が図８のように広がって係止突起４５の頭部４５ｂを乗り越え、頭部４５ｂを乗り越えた後に元の孔径に復帰して係止突起４５の柱部４５ａに嵌合する。
【００７０】
従って、係止突起４５の頭部４５ｂの径が被係止孔１３の径よりも大きくても、被係止孔１３を無理無く広がらせて係止突起４５の頭部４５ｂを乗り越えさせ、係止突起４５の柱部４５ａに嵌合させることができる。
【００７１】
さらに、この実施例では、スリット１４を、フレキシブル配線板１０の折曲領域１０ａの側縁に開放させて形成しているため、被係止孔１３をさらに無理無く広がらせて係止突起４５の頭部４５ｂを乗り越えさせることができる。
【００７２】
また、係止突起４５の柱部４５ａへの被係止孔１３の嵌合は、フレキシブル配線板１０の折曲領域１０ａのうちの被係止部１２の周囲の部分を筐体４０の外側面４０ｃ側に押し付けるだけの簡単な作業で行うことができる。
【００７３】
そして、被係止孔１３を係止突起４５の頭部４５ｂを乗り越えさせて係止突起４５の柱部４５ａに嵌合させると、係止突起４５の頭部４５ｂの周縁部が、被係止孔１３の周縁に折曲領域１０ａの外面側から重なる。そのため、被係止部１２が係止突起４５に離脱しないように係止される。
【００７４】
一方、フレキシブル配線板１０の他端側の部分、即ち折曲領域１０ａとフレキシブル配線板１０の他端との間の部分は、図１、図２及び図４のように筐体４０の下面４０ｂに沿わせて屈曲されている。そして、フレキシブル配線板１０の他端は、図２のように、筐体の下面４０ｂ側に配置された表示制御手段５０に接続されている。
【００７５】
なお、表示制御手段５０は、液晶表示パネル１の端子配列部３ａに搭載されたドライバ素子８に制御信号及び画素データ等を供給する回路を含み、面光源２０の最も後側の部材である反射板２６の外面に、両面粘着テープ（図示せず）等により貼り付けられている。そしてフレキシブル配線板１０は、その他端に設けられた外部回路接続用コネクタ１１を、表示制御手段５０に設けられたコネクタ受け（図示せず）に差し込んで前記表示制御手段５０に接続されている。
【００７６】
なお、光源点灯回路は、筐体の下面４０ｂ側に配置された表示制御手段５０に形成してもよい。その場合は、液晶表示パネル１の端子配列部３ａに接続されたフレキシブル配線板１０の折曲領域１０ａと該フレキシブル配線板１０の他端との間の領域に光源点灯回路への接続配線を形成した上で、発光素子支持基板３０のリード部３１の筐体４０外に引き出された部分をフレキシブル配線板１０と同様に筐体４０の外側面に沿わせて折曲し、且つこのリード部３１の他端をフレキシブル配線板１０と該フレキシブル配線板１０の他端との間の前記領域において、前記光源点灯回路への接続配線に接続するのが望ましい。
【００７７】
この実施例の表示装置は、端子配列部３ａにフレキシブル配線板１０の一端が接続された液晶表示パネル１を、筐体４０の表示パネル収容部４１に収容し、前記フレキシブル配線板１０を筐体４０の表示パネル収容部４１から該筐体４０の外側面４０ｃの外方に引き出したものである。そして、筐体４０外に引き出されたフレキシブル配線板１０を、筐体４０の外側面４０ｃに沿って筐体４０の上面４０ａ側から下面４０ｂ側に向かう方向に折曲し、筐体４０の外側面４０ｃに沿う折曲領域１０ａにおいて筐体４０の外側面４０ｃに係止している。そのため、フレキシブル配線板１０の筐体４０外に引き出された部分に加わる外力による液晶表示パネル１の浮き上がりを防止し、液晶表示パネル１を筐体４０内に安定して収容することができる。
【００７８】
図１６は、比較例の表示装置における液晶表示パネル１の浮き上がりを示している。なお、この比較例の表示装置において、液晶表示パネル１は上記実施例のものと同じであるから、重複する説明は図に同符号を付して省略する。
【００７９】
この比較例の表示装置は、端子配列部３ａにフレキシブル配線板１１０の一端が接続された液晶表示パネル１を、筐体１４０の表示パネル収容部１４１に、該表示パネル収容部１４１に形成された表示パネル支持面１４２上に載置して収容したものであり、液晶表示パネル１の端子配列部３ａに接続されたフレキシブル配線板１１０は、筐体１４０の表示パネル収容部１４１から該筐体１４０の外側面の外方に引き出されると共に、Ｕ状に湾曲されて筐体１４０の下面側に回し込まれ、筐体１４０の下面に係止手段１５０により係止されている。
【００８０】
この比較例の表示装置は、例えば電子機器への実装に際して、フレキシブル配線板１１０の筐体１４０外に引き出されてＵ状に湾曲された部分が機器ケースやケース内に配置された電子部品等の障害物に押し付けられると、障害物から湾曲部に対して、該湾曲部を強制的に筐体１４０側に押し付けるような外力Ｆが加わる。
【００８１】
そして、フレキシブル配線板１１０の筐体１４０の下面側に回し込まれた部分は筐体１４０に係止されているのに対し、該フレキシブル配線板１１０の一端が接続された液晶表示パネル１は、重量が軽く、しかも筐体１４０の表示パネル支持面１４２上に載置されているだけである。そのため、フレキシブル配線板１１０の湾曲部に外力Ｆが加わると、この湾曲部が図に二点差線で示したように、曲率半径が大きくなるように広がりながら液晶表示パネル１に接続された一端側が上方に変位するように変形し、筐体１４０に収容された液晶表示パネル１を筐体１４０の表示パネル支持面１４２から浮き上がらせてしまうことがある。
【００８２】
また、比較例の表示装置は、フレキシブル配線板１１０の湾曲部に、上方に押し上げるような外力が加わることもあり、その場合も、液晶表示パネル１を筐体１４０の表示パネル支持面１４２から浮き上がらせてしまうことがある。
【００８３】
それに対して、上記実施例の表示装置は、筐体４０外に引き出されたフレキシブル配線板１０を、筐体４０の外側面４０ｃに沿って筐体４０の上面４０ａ側から下面４０ｂ側に向かう方向に折曲し、筐体４０の外側面４０ｃに沿う折曲領域１０ａにおいて筐体４０の外側面４０ｃに係止しているため、折曲領域１０ａに外力が加わっても、折曲領域１０ａがずれ動くことは無い。
【００８４】
従って、液晶表示パネル１が筐体４０の表示パネル支持面４２上に載置されているだけであっても、フレキシブル配線板１０の折曲領域１０ａに加わる外力による液晶表示パネル１の表示パネル支持面４２からの浮き上がりを防止することができる。
【００８５】
このように、前記表示装置は、液晶表示パネル１の端子配列部３ａに一端を接続され、筐体４０の表示パネル収容部４１から該筐体４０の外側面４０ｃの外方に引き出されたフレキシブル配線板１０を、筐体４０の外側面４０ｃに、外部からフレキシブル配線板１０に加わる力が筐体４０に収容された液晶表示パネル１を浮き上がらせるように作用することが無いように係止したものであるため、フレキシブル配線板１０の折曲領域１０ａに加わる外力による液晶表示パネル１の表示パネル支持面４２からの浮き上がりを防止することができる。
【００８６】
なお、フレキシブル配線板１０は、筐体４０外に引き出されて筐体４０の外側面４０ｃに沿う方向に折曲されているため、フレキシブル配線板１０が弾性反発力によって元の状態に戻ろうとするが、この弾性反発力による液晶表示パネル１の引き上げ力が液晶表示パネル１の重量よりも小さければ、フレキシブル配線板１０の弾性反発力によって液晶表示パネル１の表示パネル支持面４２から浮き上がることは無い。
【００８７】
しかも、この実施例では、液晶表示パネル１の後側に、面光源２０を液晶表示パネルと一体化させて配置しているため、液晶表示パネル１の重量を、面光源２０の重さ分だけ大きくし、フレキシブル配線板１０の弾性反発力による液晶表示パネル１の浮き上がりをさらに確実に防ぐことができる。
【００８８】
この表示装置において、筐体４０外に引き出されたフレキシブル配線板１０は、筐体４０の外側面４０ａに沿って該外側面４０ａに接するように屈曲し、その折曲領域１０ａを、フレキシブル配線板１０の一端（液晶表示パネル１に接続された端部）と被係止部１２との間の部分に弛みが生ないように筐体４０の外側面４０ａに係止するのが好ましい。そのため、この実施例では、フレキシブル配線板１０の一端と被係止部１２との間の部分を弛みの無い状態に緊張させたときの被係止部１２の位置に対応させて係止突起４５を設けている。
【００８９】
この実施例において、フレキシブル配線板１０は次のようにして被係止部１２に係止する。まず、筐体４０外に引き出されたフレキシブル配線板１０を筐体４０の外側面４０ａに沿って該外側面４０ａに接するように屈曲し、その折曲領域１０ａを筐体４０の下面４０ｂ側に向かう方向に引っ張ることにより、被係止孔１３の中心Ｐの位置を係止突起４５の中心位置におおよそ一致させる。このように、フレキシブル配線板１０の折曲領域１０ａを筐体４０の後側に向けて引っ張ると、フレキシブル配線板１０の液晶表示パネル１に接続された一端と被係止部１２との間の部分が弛みの無い状態に緊張される。
【００９０】
次に、フレキシブル配線板１０の引っ張り状態を維持しながら、折曲領域１０ａの被係止部１２の周囲の部分を筐体４０の外側面４０ｃ側に押し付けることにより、被係止孔１３を係止突起４５の柱部４５ａに嵌合させ、その後にフレキシブル配線板１０の引っ張りを解除する。
【００９１】
フレキシブル配線板１０の引っ張りを解除すると、フレキシブル配線板１０自体の弾性反発力により、フレキシブル配線板１０の折曲領域１０ａが筐体４０の上面４０ａ側に向かう方向にずれ、図６及び図７のように、被係止孔１３の周縁のうちのフレキシブル配線板１０の他端に最も近い縁部が、係止突起４５の柱部４５ａの周面のうちの最も下側（筐体４０の下面４０ｂ側）の部分に当接する。なお、フレキシブル配線板１０自体の弾性反発力による折曲領域１０ａのずれ量は、被係止孔１３の半径と、係止突起４５の柱部４５ａの半径との差に対応した極く僅かな量である。
【００９２】
そして、被係止孔１３の周縁のうちのフレキシブル配線板１０の他端に最も近い縁部が、係止突起４５の柱部４５ａの周面のうちの最も下側の部分に当接すると、それ以上の折曲領域１０ａのずれが阻止されるため、フレキシブル配線板１０の折曲領域１０ａが、フレキシブル配線板１０の一端と被係止部１２との間の部分に弛みを生じないように係止される。
【００９３】
なお、係止突起４５の頭部４５ｂは、被係止孔１３の周縁のうちのフレキシブル配線板１０の他端に最も近い縁部が、係止突起４５の柱部４５ａの周面のうちの最も下側の部分に当接したときも、該頭部４５ｂの全周の縁部が被係止孔１３の全周の縁部に重なる径を有している。従って、被係止孔１３が係止突起４５の柱部４５ａに、それぞれの中心位置がずれた偏心状態で係止されても、被係止孔１３が係止突起４５から抜け外れ易くなることは無い。
【００９４】
このように、フレキシブル配線板１０の折曲領域１０ａを、フレキシブル配線板１０の液晶表示パネル１に接続された一端と被係止部１２との間の部分に弛みが生ないように筐体４０の外側面４０ａに係止すれば、フレキシブル配線板１０の被係止部１２よりも液晶表示パネル１側の部分がずれ動かないようにすることができるため、液晶表示パネル１の浮き上がりを、より効果的に防ぐことができる。
【００９５】
また、この表示装置は、折曲領域１０ａを筐体４０の外側面４０ｃに係止されたフレキシブル配線板１０の折曲領域１０ａよりも他端側の部分を筐体４０の下面４０ｂに沿わせて屈曲させている。そのため、筐体４０の外方へのフレキシブル配線板１０の張り出しが無い。さらに、筐体４０の下面４０ｂに沿わせて屈曲されたフレキシブル配線板１０の他端を筐体の下面４０ｂ側に配置された表示制御手段５０に接続しているため、電子機器への表示装置の実装を容易に行うことができる。
【００９６】
また、この表示装置は、フレキシブル配線板１０の折曲領域１０ａの所定個所に、被係止孔１３を有する被係止部１２を形成し、該被係止部１２を、筐体４０の外側面４０ｃの所定位置に形成された係止突起４５からなる係止部に係止させているため、フレキシブル配線板１０の折曲領域１０ａを筐体４０の外側面４０ｃに、ずれ動かないように係止することができる。
【００９７】
さらに、前記係止突起４５は、筐体４０の外側面４０ｃから突出する柱部４５ａと、この柱部４５ａの先端に形成された頭部４５ｂとからなっており、柱部４５ａは、フレキシブル配線板１０の被係止孔１３に嵌まり込む太さに形成され、頭部４５ｂは、該頭部４５ｂの周縁部が前記被係止孔１３の周縁に重なる大きさに形成されている。そのため、被係止孔１３を係止突起４５の頭部４５ｂを乗り越えさせて係止突起４５の柱部４５ａに嵌合させることにより、被係止孔１３を係止突起４５に離脱しないように係止することができる。
【００９８】
しかも、被係止孔１３を係止突起４５の頭部４５ｂを乗り越えさせて係止突起４５の柱部４５ａに嵌合させると、係止突起４５の頭部４５ｂがフレキシブル配線板１０の折曲領域１０ａの外面側に突出するため、この頭部４５ｂが、電子機器への実装に際してフレキシブル配線板１１０の折曲領域１０ａが障害物に押し付けられるのを防ぐガードとして機能する。
【００９９】
従って、フレキシブル配線板１１０の折曲領域１０ａは、係止突起４５の頭部４５ｂによりガードされた部分以外の領域において障害物に押し付けられるだけであり、従って、障害物から折曲領域１０ａに対して過大な外力が加わらないようにすることができる。
【０１００】
また、前記被係止部１２は、被係止孔１３と連続させて被係止孔１３から所定の方向に延伸するように形成され、被係止孔１３の広がりを許容するスリット１４を有しているため、被係止孔１３を無理無く広がらせて係止突起４５の頭部４５ｂを乗り越えさせ、係止突起４５の柱部４５ａに嵌合させることができる。
【０１０１】
さらに、上記実施例では、スリット１４を、フレキシブル配線板１０の折曲領域１０ａの側縁に開放させて形成しているため、被係止孔１３をさらに無理無く広がらせて係止突起４５の頭部４５ｂを乗り越えさせることができる。
【０１０２】
しかも、スリット１４は、係止突起４５の柱部４５ａの太さよりも小さい幅に形成されているため、被係止孔１３を係止突起４５の柱部４５ａに嵌合させて筐体４０の外側面４０ｃに係止されたフレキシブル配線板１０の折曲領域１０ａが、スリット１４に沿った方向ずれ動くことは無い。
【０１０３】
但し、フレキシブル配線板１０の折曲領域１０ａに、スリット１４の被係止孔１３側の端部を係止突起４５の柱部４５ａに押し付けるような向きの強い力が加わると、スリット１４が係止突起４５の柱部４５ａによって広げられ、折曲領域１０ａが、係止突起４５の柱部４５ａを被係止孔１３内からスリット１４内に入り込ませる方向（被係止孔１３からのスリット１４の延伸方向とは反対方向）にずれ動くことがある。
【０１０４】
そして、例えばスリット１４が被係止孔１３から折曲領域１０ａの長手方向に延伸させて形成されているとすると、折曲領域１０ａに下向き（筐体４０の下面４０ｂ側に向かう方向）または上向き（筐体４０の上面４０ａ側に向かう方向）の力が加わったときに、折曲領域１０ａが長手方向にずれ動く。
【０１０５】
即ち、スリット１４の延伸方向がフレキシブル配線板１０の一端側に向かう方向であるときは、折曲領域１０ａに下向きの強い力が加わったときに、折曲領域１０ａが筐体４０の外側面４０ａに沿って下方向にずれ動き、フレキシブル配線板１０に、該フレキシブル配線板１０を液晶表示パネル１の端子配列部３ａから剥離させるような力が作用することがある。
【０１０６】
また、スリット１４の延伸方向がフレキシブル配線板１０の他端側に向かう方向であるときは、折曲領域１０ａに上向きの力が加わったときに、折曲領域１０ａが筐体４０の外側面４０ａに沿って上方向にずれ動き、フレキシブル配線板１０の被係止部１２と液晶表示パネル１に接続された一端との間の部分に弛みを生じさせてしまうことがある。
【０１０７】
そのため、上記実施例では、スリット１４を、被係止孔１３からフレキシブル配線板１０の短手方向に延伸させて形成している。このように、スリット１４の延伸方向がフレキシブル配線板１０の短手方向であれば、折曲領域１０ａに下向きまたは上向きの強い力が加わっても、折曲領域１０ａが長手方向にずれ動くことは無く、従って、フレキシブル配線板１０に液晶表示パネル１の端子配列部３ａから剥離させるような力が作用したり、フレキシブル配線板１０の被係止部１２と液晶表示パネル１に接続された一端との間の部分に弛みを生じさせてしまうことは無い。
【０１０８】
さらに、上記実施例では、フレキシブル配線板１０の折曲領域１０ａの一方の縁部側と他方の縁部側とにそれぞれ被係止部１２を形成し、この各被係止部１２，１２を筐体４０の外側面４０ｃの二箇所に形成された係止突起４５，４５にそれぞれ係止させている。
【０１０９】
そして、一方の被係止部１２の被係止孔１３からのスリット１４の延伸方向と、他方の被係止部１２の被係止孔１３からのスリット１４の延伸方向とは互いに逆向きであるため、折曲領域１０ａにフレキシブル配線板１０の短手方向に沿った横向きの強い力が加わっても、何れか一方の被係止部１２の被係止孔１３のスリット１４とは反対側の孔縁が係止突起４５の柱部４５ａによって受け止められる。そのため、折曲領域１０ａにフレキシブル配線板１０の短手方向に沿った横向きの強い力が加わっても、折曲領域１０ａが短手方向にずれ動くことは無い。
【０１１０】
また、フレキシブル配線板１０の折曲領域１０ａの一方の縁部側と他方の縁部側とにそれぞれ被係止部１２を形成し、筐体４０の外側面４０ｃの二箇所に、各被係止部１２，１２にそれぞれ対応させて係止突起４５，４５を形成しているため、フレキシブル配線板１０の折曲領域１０ａを、より強い係止力で確実に筐体４０の外側面４０ｃに係止することができる。
【０１１１】
さらに、前記筐体４０は、外側面４０ｃに係止突起４５を一体に突設したものであるが、この係止突起４５は、前記筐体４０の外側面４０ｃから垂直に突出した柱部４５ａと、該柱部４５ａの先端に形成された頭部４５ｂとからなっている。この頭部４５ｂは、前記筐体４０の外側面４０ｃに平行な一対の平面を有し、その全体が該一対の平面に挟まれた形状を有している。そのため、筐体４０を、図９のような、係止突起４５を成形する部分の中心を通る位置で上下に分割された二分割型の金型６１，６２により成形することができる。
【０１１２】
［第二実施例］
図１０に示した第二実施例は、フレキシブル配線板１０の折曲領域１０ａに設ける被係止部１２を、被係止孔１３からフレキシブル配線板１０の短手方向に沿った一方の向きとその逆向きである他方の向きとにそれぞれ延伸させてスリット１４，１４を形成した形状に形成したものであり、他の構成は第一実施例の表示装置と同じである。この第二実施例において、一方のスリット１４は、被係止孔１３から折曲領域１０ａの側縁に向かって形成され、前記側縁に開放している。
【０１１３】
この第二実施例の被係止部１２は、被係止孔１３から折曲領域１０ａの前記一方の向きと前記他方の向きとにそれぞれ延伸させて二つのスリット１４，１４を形成しているため、被係止孔１３の広がりを、第一実施例よりも効果的に許容することができる。また、一方のスリット１４をフレキシブル配線板１０の折曲領域１０ａの側縁に開放させて形成しているため、被係止孔１３の広がりをさらに効果的に許容することができる。従って、被係止孔１３を無理無く広げて係止突起４５の頭部４５ｂを乗り越えさせ、係止突起４５の柱部４５ａに嵌合させることができる。
【０１１４】
［第三実施例］
なお、上記第二実施例では、一方のスリット１４をフレキシブル配線板１０の折曲領域１０ａの側縁に開放させているが、スリット１４は、必ずしも折曲領域１０ａの側縁に開放させなくてもよい。図１１に示した第三実施例は、両方のスリット１４，１４を、同じ長さに、且つ何れのスリット１４も折曲領域１０ａの側縁に開放しないように形成したものである。
【０１１５】
この第三実施例の被係止部１２においても、被係止孔１３から折曲領域１０ａの前記一方の向きと前記他方の向きとにそれぞれ延伸させて二つのスリット１４，１４により、被係止孔１３の広がりを効果的に許容することができるため、被係止孔１３を無理無く広げて係止突起４５の頭部４５ｂを乗り越えさせ、係止突起４５の柱部４５ａに嵌合させることができる。
【０１１６】
［第四実施例］
図１２に示した第四実施例では、スリット１４が、フレキシブル配線板１０の短手方向に平行な直線Ｌを対称軸として左右対称になるように形成されており、被係止孔１３は、その中心Ｐが該平行な直線よりも折曲領域１０ａの他端に近い位置に配置されるように形成されている。なお、他の構成は第一実施例の表示装置と同じである。
【０１１７】
この第四実施例において、スリット１４は、フレキシブル配線板１０の短手方向に沿った二つの辺のうち、フレキシブル配線板１０の一端に近い方の辺が、被係止孔１３の縁部のうち、表示パネルの一端に最も近い部分に一致するように形成されている。
【０１１８】
また、この第四実施例は、スリット１４を被係止孔１３からフレキシブル配線板１０の短手方向に沿った一方の向きに延伸させて形成したものであり、該スリット１４は、被係止孔１３から折曲領域１０ａの側縁に向かって延長させて形成され、前記側縁に開放している。
【０１１９】
この第四実施例の被係止部１２は、スリット１４を、被係止孔１３の中心Ｐよりもフレキシブル配線板１０の一端側（液晶表示パネル１への接続側）に片寄った位置にスリット中心線Ｌが位置するように形成しているため、フレキシブル配線板１０の折曲領域１０ａに、該折曲領域１０ａを上方（筐体４０の上面４０ａに向かう方向）またはフレキシブル配線板１０の短手方向にずれさせるような力が作用したときに、被係止孔１３が、スリット１４が繋がっている部分以外の孔縁を係止突起４５の柱部４５ａにより受け止められる。
【０１２０】
そのため、フレキシブル配線板１０の折曲領域１０ａが上方にずれ動いて、フレキシブル配線板１０のうち被係止部１２と表示パネル１の一端との間の部分に弛みを生じさせてしまうのを確実に防ぐことができると共に、折曲領域１０ａの短手方向へのずれ動きを上記第一実施例よりもさらに確実に防ぐことができる。
【０１２１】
この実施例においても、フレキシブル配線板１０の一端（液晶表示パネル１に接続された端部）と被係止部１２との間の部分を弛みの無い状態に緊張させたときの被係止部１２の位置に対応させて係止突起４５を設け、筐体４０外に引き出されたフレキシブル配線板１０の折曲領域１０ａを筐体４０の下面４０ｂ側に向かう方向に引っ張ることにより、被係止孔１３の中心Ｐの位置を係止突起４５の中心位置におおよそ一致させて被係止孔１３を係止突起４５の柱部４５ａに嵌合させるようにしている。
【０１２２】
従って、この実施例でも、フレキシブル配線板１０の引っ張りを解除したときに、フレキシブル配線板１０自体の弾性反発力によって、フレキシブル配線板１０の折曲領域１０ａが筐体４０の上面４０ａ側に向かう方向にずれ、被係止孔１３の周縁のうちのフレキシブル配線板１０の他端に最も近い縁部が、係止突起４５の柱部４５ａの周面のうちの最も下側（筐体４０の下面４０ｂ側）の部分に当接する。
【０１２３】
そして、被係止孔１３の周縁のうちのフレキシブル配線板１０の他端に最も近い縁部が、係止突起４５の柱部４５ａの周面のうちの最も下側の部分に当接すると、それ以上の折曲領域１０ａのずれが阻止されるため、フレキシブル配線板１０の折曲領域１０ａが、フレキシブル配線板１０の一端と被係止部１２との間の部分に弛みを生じないように係止される。
【０１２４】
そして、この実施例では、被係止孔１３の中心Ｐの位置がスリット中心線Ｌよりもフレキシブル配線板１０の他端側に位置し、さらに前記係止状態における係止突起４５の柱部４５ａの中心位置がスリット中心線Ｌよりもフレキシブル配線板１０の他端側に位置すると共に、係止突起４５の柱部４５ａの中心位置が、被係止孔１３の中心Ｐよりもフレキシブル配線板１０の他端側に位置することになる。
【０１２５】
また、この実施例でも、係止突起４５の頭部４５ｂは、被係止孔１３の周縁のうちのフレキシブル配線板１０の他端に最も近い縁部が、係止突起４５の柱部４５ａの周面のうちの最も下側の部分に当接したときも、該頭部４５ｂの全周の縁部が被係止孔１３の全周の縁部に重なる径を有している。
【０１２６】
従って、被係止孔１３の中心Ｐ及びスリット中心線Ｌと係止突起４５の柱部４５ａの中心位置との位置関係と、係止突起４５の頭部４５ｂが被係止孔１３よりも平面形状が大きいこととによって、被係止部１２が係止突起４５に一旦係止されれば、これらをより一層外れにくくすることができる。
【０１２７】
［第五実施例］
図１３に示した第五実施例は、上記第四実施例の被係止部１２を、被係止孔１３からフレキシブル配線板１０の短手方向に沿った前記一方の向きと前記他方の向きとにそれぞれ延伸させてスリット１４，１４を形成した形状に形成したものであり、一方のスリット１４は、被係止孔１３から折曲領域１０ａの側縁に向かって形成され、前記側縁に開放している。
【０１２８】
この第五実施例の被係止部１２は、被係止孔１３から折曲領域１０ａの前記一方の向きと前記他方の向きとにそれぞれ延伸させて二つのスリット１４，１４を形成しているため、被係止孔１３の広がりを効果的に許容することができる。
【０１２９】
また、一方のスリット１４をフレキシブル配線板１０の折曲領域１０ａの側縁に開放させて形成しているため、被係止孔１３の広がりをさらに効果的に許容することができる。従って、被係止孔１３を無理無く広げて係止突起４５の頭部４５ｂを乗り越えさせ、係止突起４５の柱部４５ａに嵌合させることができる。
【０１３０】
［第六実施例］
なお、上記第五実施例では、一方のスリット１４をフレキシブル配線板１０の折曲領域１０ａの側縁に開放させているが、スリット１４は、必ずしも折曲領域１０ａの側縁に開放させなくてもよい。図１４に示した第六実施例は、両方のスリット１４，１４を、同じ長さに、且つ何れのスリット１４も折曲領域１０ａの側縁に開放しないように形成したものである。
【０１３１】
また、上記第二実施例乃至第六実施例のいずれにおいても、前記被係止部１２は、折曲領域１０ａの長手方向に沿った二つの縁辺のうち、一方の縁辺と他方の縁辺とにそれぞれ形成されており、前記係止突起４５からなる係止部は、筐体４０の外側面の二箇所に、各被係止部１２，１２にそれぞれ対応させて形成されていることが望ましい。
【０１３２】
［係止部の変形例］
フレキシブル配線板１０の被係止部１２を上記第四実施例乃至第六実施例の形状に形成する場合、筐体４０の係止突起４５は、図１５のように形成することが望ましい。即ち、係止突起４５の頭部４５ｂのうち表示パネル１の前側に位置する部分を直線状とし、被係止部１２が係止突起４５に係止された状態で且つフレキシブル配線板１０が弾性復帰力によって変形して被係止部１２の被係止孔１３の縁部の最も他端側の部分と係止突起４５の柱部４５ａの側面の最も後側の部分が当接した状態であるときに、頭部４５ｂの前側の縁部がフレキシブル配線板１０に重なるように形成されていることが望ましい。
【０１３３】
係止突起４５の頭部４５ｂをこのような形状に形成することにより、被係止部１２を係止突起４５に容易に離脱しないように係止することができる。なお、図１５に示した被係止部１２は第六実施例のものであるが、第四実施例または第五実施例の被係止部１２の場合も、被係止部１２を係止突起４５に離脱しないように係止することができる。
【０１３４】
［他の実施例］
なお、上記各実施例では、筐体４０の外側面４０ｃの外方に引き出されたフレキシブル配線板１０を、筐体４０の外側面４０ａに沿って折曲させているが、フレキシブル配線板１０は、図７のような形状、つまり、フレキシブル配線板１０の筐体４０外に引き出される側を筐体４０の外側面４０ｃに沿うように折曲した形状に予め曲げ加工しておいてもよい。
【０１３５】
その場合、フレキシブル配線板１０の曲げ加工は、例えば、フレキシブル配線板１０を軟化温度に過熱して折曲し、折曲状態を維持しながら温度を降下させることにより、フレキシブル配線板１０に曲げ癖をつける方法で行うことができる。
【０１３６】
このようにフレキシブル配線板１０を図７のような形状に予め曲げ加工しておけば、筐体４０外に引き出されたフレキシブル配線板１０を折曲した場合のような、フレキシブル配線板１０弾性反発力による液晶表示パネル１の引き上げ力を無くすことができる。
【０１３７】
また、フレキシブル配線板の折曲領域１０ａに設ける被係止部は、上記実施例の被係止孔１３に限らず、例えば折曲領域１０ａの側縁部に形成された切り欠き部等でもよい。さらに、筐体４０の外側面４０ｃ設ける係止部も、係止突起４５に限らず、フレキシブル配線板の折曲領域１０ａに設けられた被係止部を係止できるものであればよい。
【０１３８】
そして、フレキシブル配線板の折曲領域１０ａに設けられた被係止部を筐体４０の外側面４０ｃ設けた係止部に係止させることにより、フレキシブル配線板１０の筐体４０外に引き出された部分に加わる外力による液晶表示パネル１の浮き上がりを防止し、筐体４０への液晶表示パネル１の収容状態を維持することができる。
【０１３９】
また、上記各実施例の表示装置は、液晶表示パネル１と面光源２０を筐体４０に収容したものであるが、この発明は、液晶表示パネル１を筐体４０に収容し、筐体４０の下面４０ｂ側に面光源２０を配置した表示装置にも適用することができる。
【０１４０】
さらに、この発明は、液晶表示パネル１を筐体４０に収容したものに限らず、有機ＥＬ（エレクトロルミネッセンス）表示パネルや、プラズマ表示パネル等の自発光型表示パネルを筐体４０に収容した表示装置にも適用することができる。
【符号の説明】
【０１４１】
１…液晶表示パネル、１ａ…画面エリア、３ａ…端子配列部、１０…フレキシブル配線、１０ａ…折曲領域、１２…被係止部、１３…被係止孔、１４…スリット、２０…面光源、４０…筐体、４０ａ…上面、４０ｂ…下面、４０ｃ…外側面、４１…表示パネル収容部、４２…表示パネル支持面、４５…係止突起（係止部）、４５ａ…柱部、４５ｂ…頭部、５０…表示制御手段
【図１】
0005569345.tif 000002
【図２】
0005569345.tif 000003
【図３】
0005569345.tif 000004
【図４】
0005569345.tif 000005
【図５】
0005569345.tif 000006
【図６】
0005569345.tif 000007
【図７】
0005569345.tif 000008
【図８】
0005569345.tif 000009
【図９】
0005569345.tif 000010
【図１０】
0005569345.tif 000011
【図１１】
0005569345.tif 000012
【図１２】
0005569345.tif 000013
【図１３】
0005569345.tif 000014
【図１４】
0005569345.tif 000015
【図１５】
0005569345.tif 000016
【図１６】
0005569345.tif 000017